(57)【要約】【課題】巻取機構における被記録媒体の巻径が変化しても被記録媒体を容易に切断可能な記録装置を提供する。【解決手段】ロール状に連続した被記録媒体を支持する移動可能な給紙台４と、給紙台４の上方に配置され、給紙台４から帯状に引き出された被記録媒体に記録するプリンタ部７と、給紙台４の下方に配置され、プリンタ部７から排出された記録済みの被記録媒体をロール状に巻き取る巻取機構３と、給紙台４の先端に取り付けられ、記録済みの被記録媒体が予め定められた長さだけ巻取機構３に巻き取られたときに給紙台４の移動に伴って記録済みの被記録媒体に到達する位置に移動し、その位置で記録済みの被記録媒体を切断する切断部５と、を有する。【選択図】  図５
2012051139.tif 000002
【特許請求の範囲】
【請求項１】
ロール状に連続した被記録媒体を支持する移動可能な給紙台と、前記給紙台の上方に配置され、前記給紙台から帯状に引き出された前記被記録媒体に記録するプリンタ部と、前記給紙台の下方に配置され、前記プリンタ部から排出された記録済みの被記録媒体をロール状に巻き取る巻取機構と、前記給紙台の先端に取り付けられ、前記記録済みの被記録媒体が予め定められた長さだけ前記巻取機構に巻き取られたときに前記給紙台の移動に伴って前記記録済みの被記録媒体に到達する位置に移動し、該位置で前記記録済みの被記録媒体を切断する切断部と、を有する記録装置。
【請求項２】
前記切断部が、前記給紙台の先端上部に取り付けられている、請求項１に記載の記録装置。
【請求項３】
前記給紙台の先端に前記切断部よりも下側に取り付けられ、前記記録済みの被記録媒体を保持可能な保持部材をさらに有する、請求項１または２に記載の記録装置。
【請求項４】
前記プリンタ部が、前記被記録媒体を搬送する搬送ローラと、前記搬送ローラで搬送された前記被記録媒体に記録する記録部と、を有する、請求項１から３のいずれか１項に記載の記録装置。
【請求項５】
前記プリンタ部の先端に取り付けられ、前記被記録媒体に付着したインクを乾燥させるヒータをさらに有する、請求項１から４のいずれか１項に記載の記録装置。
【発明の詳細な説明】
【技術分野】
【０００１】
本発明は、記録済みの被記録媒体を巻き取る巻取機構を備えた記録装置に関する。
【背景技術】
【０００２】
従来、プリンタ、複写機、ファクシミリなどの記録装置は、記録紙等の被記録媒体に記録する出力装置として広く使用されている。被記録媒体としては、紙やプラスチックや布など、種々の材質のものが使用可能である。特に大判プリントにおいてはロール紙などの連続した被記録媒体に画像を記録するのが一般的である。
【０００３】
大判プリントを行う記録装置として、記録情報に基づいて被記録媒体に記録するプリンタ部と、記録済みの被記録媒体を巻き取る巻取機構と、記録済みの被記録媒体を切断する切断手段を備えたものが知られている。この種の記録装置は、ロール状に巻回された被記録媒体を帯状に引き出しながら記録していき、記録済みの被記録媒体を排出していく。記録済みの被記録媒体の処理方法には、記録済みの被記録媒体をプリンタ部内に配置された切断手段で一定サイズごとに切断していく方法と、記録済みの被記録媒体をプリンタ部外に装備した巻取機構でロール状に巻き取る方法と、がある。
【０００４】
後者のロール状に巻き取る方法は、特に大量の記録を行う場合に好適であり、ユーザーが記録装置にいちいち印刷物を取りにいく手間を省くことができる。またユーザーにとって断続的な作業を回避することができるなどの利点がある。一般的に連続的に巻き取られた印刷物は、作業台等の分離作業工程に回されて１枚ずつ分離される。
【０００５】
上記のような巻取機構と切断手段を備えた記録装置は特許文献１に開示されている。特許文献１に記載の記録装置は、記録部（記録ヘッド）と、被記録媒体を搬送する搬送ローラとを備えるプリンタ部（画像形成部）がスタンドに支持されている。プリンタ部の下方には、ロール状の被記録媒体を支持して給紙する給紙台（給紙機構）がスタンドに取り付けられている。給紙台の下方には、巻取機構がスタンドに取り付けられている。特許文献１に記載の記録装置において、給紙台からプリンタ部に挿入された被記録媒体は、搬送ローラにより搬送されながら記録部で記録される。その後、被記録媒体は、巻取機構により連続的に巻き取られていく。その後、被記録媒体は、巻取機構近傍に配置された切断手段により所望位置で切断される。
【先行技術文献】
【特許文献】
【０００６】
【特許文献１】特開２００９−１９０２９２号公報
【発明の概要】
【発明が解決しようとする課題】
【０００７】
特許文献１に記載の記録装置では、被記録媒体が予め定められた長さだけ巻取機構に巻き取られたときに切断手段で被記録媒体を切断することを前提としている。すなわち、特許文献１に記載の記録装置では、巻取機構における切断時点の被記録媒体の巻径は一定であり、切断手段と被記録媒体との相対距離が変化しないことを前提としている。そのため、例えば、材質の異なる被記録媒体への交換で切断時点の巻径が変化し、切断手段と被記録媒体の相対距離が長くなった場合、切断手段の位置が固定されているので被記録媒体を切断するためには被記録媒体を切断手段側へ強引に引き寄せる必要がある。そのため、被記録媒体を切断しにくくなる。
【０００８】
そこで、本発明は、巻取機構における被記録媒体の巻径が変化しても被記録媒体を容易に切断可能な記録装置を提供することを目的とする。
【課題を解決するための手段】
【０００９】
上記目的を達成するための本発明による記録装置は、ロール状に連続した被記録媒体を支持する移動可能な給紙台と、前記給紙台の上方に配置され、前記給紙台から帯状に引き出された前記被記録媒体に記録するプリンタ部と、前記給紙台の下方に配置され、前記プリンタ部から排出された記録済みの被記録媒体をロール状に巻き取る巻取機構と、前記給紙台の先端に取り付けられ、前記記録済みの被記録媒体が予め定められた長さだけ前記巻取機構に巻き取られたときに前記給紙台の移動に伴って前記記録済みの被記録媒体に到達する位置に移動し、該位置で前記記録済みの被記録媒体を切断する切断部と、を有する。
【発明の効果】
【００１０】
本発明によれば、切断部が、給紙台の移動に伴って記録済みの被記録媒体に到達する位置へ移動し、その位置で記録済みの被記録媒体を切断する。そのため、巻取機構における被記録媒体の巻径が変化しても、被記録媒体の切断時に切断部を移動させることによって、被記録媒体を切断部側に強引に引き寄せる必要がなくなる。これにより、巻取機構における被記録媒体の巻径が変化しても容易に被記録媒体を切断することが可能となる。
【図面の簡単な説明】
【００１１】
【図１】実施形態１の記録装置の斜視図である。
【図２】図１に記載の記録装置の側面図である。
【図３】図１に記載の記録装置に設けられた切断部の構成を示す図である。
【図４】ロール紙の先端を切断する状態を示す側面図である。
【図５】巻取り記録モードの動作内容を説明するための側面図である。
【図６】実施形態２の記録装置の斜視図である。
【図７】図６に記載の記録装置の側面図である。
【発明を実施するための形態】
【００１２】
（実施形態１）
図１は、本実施形態の記録装置の斜視図である。図２は、図１に記載の記録装置の側面図である。本実施形態の記録装置は、図２に示すように、搬送ローラ２が、ロール状に連続した被記録媒体であるロール紙１０を搬送しながら、記録部１が記録情報に基づいてインクを吐出するインクジェット記録装置である。
【００１３】
まず、本実施形態の記録装置の構成について図１、２を参照しながら説明する。記録部１および搬送ローラ２を備えるプリンタ部７は、スタンド８の上部に取り付けられている。スタンド８は、プリンタ部７を支える脚部８ａと、記録装置を移動しやすいようにキャスター８ｃを備えた足部８ｂと、で構成されている。脚部８ａには、ロール紙１０を支持する給紙台４がプリンタ部７の下方に取り付けられている。給紙台４は、手動で水平方向に移動可能であり、後述する各ポジションによりロックできるように構成されている。給紙台４の先端上部には、切断部５が取り付けられている。また、給紙台４の先端には切断部５よりも下側に保持部材１４が取り付けられている。給紙台４の下方には、巻取機構３が配置されている。本実施形態では、巻取機構３は、足部８ｂに取り付けられている。
【００１４】
次に、図２を参照しながらロール紙１０を給紙台４にセットする手順について説明する。まず、図２（ａ）に示すように脚部８ａに近接した位置（以下、記録ポジションと呼ぶ）に位置している給紙台４を、手前方向（図２（ａ）の矢印Ａ参照）に引き出してプリンタ部７より先行した位置にスライドさせる。図２（ｂ）に示す状態で給紙台４はロックされ、ロール紙１０を給紙台４にセットする（図２ｃ参照）。その後、奥方向（図２（ｄ）の矢印Ｂ参照）に給紙台４をスライドし、記録ポジションで給紙台４をロックしてロール紙１０のセットが完了する。このように給紙台４が水平方向にスライドすることで、一般的に重量物であるロール紙１０を容易にセットすることが可能となる。
【００１５】
次に、ロール紙１０が給紙台４にセットされた後の動作内容について説明する。
【００１６】
給紙台４にセットされたロール紙１０は、プリンタ部７の給紙ローラ１１によって、給紙台４の後端から帯状に引き出されプリンタ部７に給紙される。その後、ロール紙１０は、給紙ローラ１１の前方に配置された搬送ローラ２によって、記録部１の直下まで搬送される。ロール紙１０が記録部１の直下まで搬送されると、記録部１に取り付けられたセンサ６によりロール紙１０の先端が検知される。記録部１は、センサ６の検知結果に基づいてロール紙１０における記録開始位置を判断する。このとき、ロール紙１０の先端が直線形状に切断されていないと正確な記録開始位置を判断することができない。そこで、本発明では、ロール紙１０の先端が直線形状になっていない場合、ロール紙１０に記録する前に、給紙台４の先端上部に取り付けられた切断部５でロール紙１０を切断する。以下、この切断動作に関して、図３、４を用いて説明する。図３は、切断部５の構成を示す図である。図３（ａ）は切断部５の斜視図である。図３（ｂ）は、切断部５の断面図である。また、図４は、ロール紙１０の先端を切断する状態を示す側面図である。
【００１７】
切断部５は、給紙台４の先端上部に設けられたレール９に取り付けられている。切断部５にはスリット５ｂが形成されている。給紙台４にセットされたロール紙１０の先端を手動でレール９に当接させると、２つの回転可能な丸歯５ａがスリット５ｂでロール紙１０を挟む。その状態で切断部５がレール９に沿ってスライドすると、せん断力が発生し、発生したせん断力でロール紙１０が幅方向に切断される。これにより、ロール紙１０の先端が直線形状になるので、ロール紙１０における記録開始位置を正確に検知することが可能となる。
【００１８】
次に、記録部１がロール紙１０に記録した後の動作について説明する。本実施形態の記録装置では、記録後の動作モードとして、記録後カットモードと、巻取り記録モードとがある。
【００１９】
記録後カットモードでは、記録部１での記録が完了したロール紙１０は、搬送ローラ２によって、記録部１よりもロール紙１０の搬送経路の下流側に配置されたカッター１２の下部まで搬送される。カッター１２がロール紙１０の幅方向に走査することによって、ロール紙１０は切断され排出される。
【００２０】
巻取り記録モードについて図５を用いて説明する。図５は、巻き取り記録モードの動作内容を説明するための側面図である。
【００２１】
巻取り記録モードでは、まず、記録済みのロール紙１０は、プリンタ部７から排出される。排出されたロール紙１０の先端は巻取機構３に固定される。その後は、プリンタ部７から排出されたロール紙１０は、巻取機構３まで搬送される（図５（ａ）の矢印Ｃ参照）。全ての巻き取り動作が完了したとき、すなわちロール紙１０が予め定められた長さだけ巻取機構３に巻き取られたとき、ロール紙１０の切断位置は切断部５の正面に位置する。その後、切断部５がロール紙１０に到達する位置に到達するように給紙台４が手前方向（矢印Ａ参照）に移動され、その位置で固定される（図５（ｂ）参照）。そして、ロール紙１０の記録面の反対面をレール９に当接させる。続いて、給紙台４の先端下部に設けられた保持部材１４でロール紙１０を保持する。本実施形態では、保持部材１４は、ロール紙１０の切断部分よりも下側（巻取機構３側）でロール紙１０の幅方向における両端を保持する２つのクリップで構成されている。一方のクリップは、ロール紙１０の幅方向にスライド可能である。その後、切断部５がレール９に沿ってすることによって、ロール紙１０が切断される（図５（ｃ）参照）。
【００２２】
上述したように本実施形態の記録装置によれば、切断部５が、給紙台４の移動に伴って記録済みのロール紙１０に到達する位置へ移動し、その位置でロール紙１０を切断する。そのため、巻取機構３におけるロール紙１０の巻径が変化しても、ロール紙１０の切断時に切断部５を移動させることによって、ロール紙１０を切断部５側へ強引に引き寄せる必要がなくなる。これにより、容易にロール紙１０を切断することが可能となる。
【００２３】
また、本実施形態によれば、切断部５は、給紙台４の先端上部に取り付けられているので、切断部５によるロール紙１０の切断後、給紙台４がプリンタ部７から垂れ下がったロール紙１０によって遮られない。よって、切断動作後のロール紙１０の交換を円滑に行うことが可能となる。
【００２４】
また、本実施形態によれば、ロール紙１０を保持可能な保持部材１４を設けることによって、ロール紙１０を切断する際にロール紙１０が固定されるので切断しやすくなる。また、切断後にロール紙１０の記録面が垂れて床等に触れ、傷や汚れの付着を防ぐことが可能となる。
【００２５】
また、本実施形態によれば、給紙台４のスライド動作に連動して切断部５を移動させているので、切断部５を移動させるための機構を別途設ける必要がない。そのため、記録装置の小型化、低コスト化を図れる。
【００２６】
（実施形態２）
図６は、本実施形態の記録装置の斜視図である。図７は、図６に記載の記録装置の側面図である。本実施形態の記録装置は、搬送ローラ２２が、塩化ビニル等の被記録媒体であるロールメディア３０を搬送しながら、記録部２１が記録情報に基づいてインクを吐出するインクジェット記録装置である。
【００２７】
本実施形態の記録装置では、記録部２１および搬送ローラ２１を備えるプリンタ部２７は、スタンド２８の上部に取り付けられている。プリンタ部２１の先端には、ヒータ３３が取り付けられている。ヒータ３３は、記録部２１によってロールメディア３０の記録面に付着したインクを定着させるために、熱でインクを乾燥させる。
【００２８】
本実施形態では、ロールメディア３０を給紙台２４にセットする手順については実施形態１の記録装置と同様であるので詳細な説明は省略する。なお、本実施形態の記録装置は、プリンタ部２７の先端にヒータ３３が取り付けられている。そのため、給紙台２４を給紙台４と同じ距離だけ手前方向に引き出すと、給紙台２４の上方にヒータ３３が位置することになるのでロールメディア３０をセットしにくくなる。そこで、水平方向における給紙台２４のスライド距離を給紙台４よりも長くしたほうが好ましい。
【００２９】
ロールメディア３０が給紙台４にセットされた後は、実施形態１の記録装置と同様にしてロールメディア３０がプリンタ部２７に給紙され、プリンタ部２７で記録部２１がロールメディア３０にインクを吐出する。その後、ヒータ３３が、ロールメディア３０の記録面に付着したインクを乾燥させる。この一連の動作は、巻取機構２３でロールメディア３０を矢印Ｄ方向（図７参照）に巻取りながら行われる。乾燥直後のロールメディア３０はヒータ３３の熱で温まっているので変形しやすい。そのため、乾燥直後にロールメディア３０を切断すると、直線形状に切断することが困難なため、ロールメディア３０の温度が下がってから切断する必要がある。プリンタ部２７付近にロールメディア３０を切断する切断手段が配置されている場合、ヒータ３３の熱から保護するため切断手段は耐熱構造が必要になる。また、ヒータ３３でロールメディア３０を乾燥後、矢印Ｄと反対方向にロールメディア３０を搬送する必要があり時間がかかってしまうという問題が発生する。それに対し、本実施形態の記録装置は、プリンタ部２７から充分離れた給紙台２４の先端上部に切断部５と同様の構成の切断部２５が取り付けられている。そのため、切断部２５に、ヒータ３３の熱から保護するための耐熱構造を設ける必要がなく、またロールメディア３０の乾燥後、ロールメディア３０の搬送方向を変えることなく切断できる。そのためロールメディア３０の切断時に余計な時間がかからない。
【符号の説明】
【００３０】
３、２３  巻取機構
４、２４  給紙台
５、２５  切断部
７、２７  プリンタ部
【図１】
2012051139.tif 000003
【図２】
2012051139.tif 000004
【図３】
2012051139.tif 000005
【図４】
2012051139.tif 000006
【図５】
2012051139.tif 000007
【図６】
2012051139.tif 000008
【図７】
2012051139.tif 000009